(57)【特許請求の範囲】
【請求項１】
側面に排紙処理装置への排紙口となる開口部を有しかつ該開口部より下方を回転中心軸として略水平方向まで回動して保持可能な機構を有する第１の扉と、前記第１の扉を回動して露出される面に前記第１の扉と同方向に回動可能な第２の扉とを有し、前記第２の扉を回転することにより画像形成装置内の用紙搬送路の一部が開放される画像形成装置において、前記側面および上面に排紙可能な構成とし、前記第２の扉を前記開口部の位置よりも上方に設けかつ上面への排紙経路の一方の壁面とし、前記第１の扉と第２の扉の回動するための引出用把手を略同一高に配設したことを特徴とする画像形成装置。
【請求項２】
側面に排紙処理装置への排紙口となる開口部を有しかつ該開口部より下方を回転中心軸として略水平方向まで回動して保持可能な機構を有する第１の扉と、前記第１の扉を回動して露出される面に前記第１の扉と同方向に回動可能な第２の扉とを有し、前記第２の扉を回転することにより画像形成装置内の用紙搬送路の一部が開放される画像形成装置において、前記側面および上面に排紙可能な構成とし、前記第２の扉を前記開口部の位置よりも上方に設けかつ上面への排紙経路の一方の壁面とし、前記第２の扉の回動中心軸と前記側面への用紙搬送路の上方に配設されるローラの回転中心軸とを同一にしたことを特徴とする画像形成装置。
【請求項３】
側面に排紙処理装置への排紙口となる開口部を有しかつ該開口部より下方を回転中心軸として略水平方向まで回動して保持可能な機構を有する第１の扉と、前記第１の扉を回動して露出される面に前記第１の扉と同方向に回動可能な第２の扉とを有し、前記第２の扉を回転することにより画像形成装置内の用紙搬送路の一部が開放される画像形成装置において、前記側面および上面に排紙可能な構成とし、前記第２の扉を前記開口部の位置よりも上方に設けかつ上面への排紙経路の一方の壁面とし、前記第２の扉に側面と上面への排出経路を決めるガイドチェンジ、側面への用紙搬送路の上方に配設されるローラ、および上面への用紙搬送路の前記側面側に配設されるローラを一体化させて配設したことを特徴とする画像形成装置。
【発明の詳細な説明】
【０００１】
【発明の属する技術分野】
本発明は、画像形成装置、特に側面に排紙処理装置を接続可能な画像形成装置に関するものである。
【０００２】
【従来の技術】
従来の画像形成装置には、側面および上面に排紙可能で、側面にフェースアップで排紙し、上面にフェースダウンで排紙するものがあり、側面の排紙部分に排紙処理装置、例えば自動的に分類とページ揃えを行うソータや用紙を大量に収容可能なスタッカ等、を接続して排紙処理機能をより多彩にできるものがある。
【０００３】
【発明が解決しようとする課題】
ところが、従来の排紙処理装置が接続可能な画像形成装置では、排紙処理装置を使用せずに側面に排紙する場合は別体のトレイを用意して設置しなければならず、排紙処理装置の使用・不使用に応じてトレイの装脱着をしなければならず不都合であった。
【０００４】
また、側面の排紙付近で紙詰まりが発生した場合に、側面の排紙口からから用紙が出ていればそれを引っ張ることにより解消することができるが、それ以外は画像形成装置内部の紙詰まり解除と全く同様の手順で行わなければならず、時間を要してしまうという問題があった。
【０００５】
【課題を解決するための手段】
本発明は、上記問題に鑑みてなされたものであり、側面に排紙処理装置への排紙口となる開口部を有しかつ該開口部より下方を回転中心軸として略水平方向まで回動して保持可能な機構を有する第１の扉と、前記第１の扉を回動して露出される面に前記第１の扉と同方向に回動可能な第２の扉とを有し、前記第２の扉を回転することにより画像形成装置内の用紙搬送路の一部が開放される画像形成装置において、前記側面および上面に排紙可能な構成とし、前記第２の扉を前記開口部の位置よりも上方に設けかつ上面への排紙経路の一方の壁面とし、前記第１の扉と第２の扉の回動するための引出用把手を略同一高に配設した画像形成装置としたものである。あるいは、上述した画像形成装置において、前記側面および上面に排紙可能な構成とし、前記第２の扉を前記開口部の位置よりも上方に設けかつ上面への排紙経路の一方の壁面とし、前記第２の扉の回動中心軸と前記側面への用紙搬送路の上方に配設されるローラの回転中心軸とを同一にした画像形成装置、あるいは前記側面および上面に排紙可能な構成とし、前記第２の扉を前記開口部の位置よりも上方に設けかつ上面への排紙経路の一方の壁面とし、前記第２の扉に側面と上面への排出経路を決めるガイドチェンジ、側面への用紙搬送路の上方に配設されるローラ、および上面への用紙搬送路の側面側に配設されるローラを一体化させて配設した画像形成装置としたものである。
【０００６】
このような構成により、排紙処理装置の使用・不使用に応じて第１の扉を開閉するのみでトレイの装脱着の作業が不要となり、側面の排紙口付近の紙詰まり解除が容易となる。
【０００７】
【発明の実施の形態】
本発明の実施例を図面を用いて説明する。
画像形成装置は、図１に示すように、２つの給紙カセット１０ａを有する給紙装置１０を３段積み重ねた最上段に載置され、図２に示すように、上面排紙部２と側面排紙部３を設けてなる。
【０００８】
上面排紙部２は、従来の画像形成装置と同様にフェースダウン方式で排紙される部分である。
【０００９】
側面排紙部３は、従来の画像形成装置と同様にフェースアップ方式で排紙される部分であるが、本発明は、図２および図３に示すように、側面排紙部３に開口部４ａと引出用把手４ｂを設けた第１の扉４を設け、第１の扉４が回転中心軸４ｃを中心に略水平方向まで回動して保持可能な機構としたこと、および第１の扉４を回動して露出される面に第２の扉５を設け、第２の扉５が回転中心軸５ｃを中心に回動する構成とした。
【００１０】
このような構成とすることで、図４に示すように、排紙処理装置であるソータ１１を画像形成装置１に装着する際に、開口部４ａとソータ１１の用紙取入口の高さを合わせれば第１の扉４を閉じた状態で装着することができる。
【００１１】
また、図２および図３に示すように、第１の扉４の引出用把手４ｂを手前に引くと回転中心軸４ｃを中心に回動する。また、図５（ａ）に示すように、アーム４ｄは、一方を画像形成装置１に回動可能に固定され、他方を第１の扉４に頂上部４ｅから略中央部４ｆまで設けられた案内溝４ｇに沿って移動可能な移動部材４ｈに固定されるために、第１の扉４が開かれると移動部材４ｈが案内溝４ｇに沿って頂上部４ｅから略中央部４ｆの方向に移動し、略中央部４ｆで止まる。そのため、第１の扉４が略水平方向の位置で保持される状態となる。
【００１２】
このような構成とすることで、排紙処理装置であるソータ１１を使用しない場合は、第１の扉４を開いて排紙トレイとすることができる。
【００１３】
さらに、図５（ｂ）に示すように、第１の扉４の内面上で画像形成装置１と反対方向に延びるように回動する板４ｉ，４ｊを設けることにより、第１の扉４を略水平方向に延長させることができ、第１の扉４の長さより長い用紙を排紙する場合にも落下しないトレイとすることができる。なお、本実施例では、板４ｉ，４ｊを回動させたが、引っ張り出すような構成としてもよい。
【００１４】
また、図３および５（ａ）に示すように、第１の扉４を開くと露出される面の排紙口１ａよりも上方に設けられ、引出用把手５ｂを手前に引くと回転中心軸５ｃを中心に回動する第２の扉５を設けている。なお、本実施例では、第２の扉５を第１の扉４と同方向に回動させることにより、扱いやすく小型化できる構成としているが、回転中心軸５ｃを異なる位置に設け、第１の扉４と異なる方向に回動する構成としてもよい。
【００１５】
第２の扉５の内面は、図３および図６（ａ）に示すように、上面排紙部２への排紙経路６の一方の壁面であり、第２の扉５を回動して開くと排紙経路６が開放され、図６（ｂ）に示すように、排紙口１ａ近くで生じた紙詰まり用紙Ｐを引き出すことができる。なお、本実施では、排紙経路６が開放される構成としたが、画像形成装置１内の用紙搬送路のいずれかが開放される構成とすればよい。
【００１６】
また、本実施例では、図３および図６（ａ）に示すように、第２の扉５に上面排紙部２と側面排紙部３への経路を決めるガイドチェンジ５ｄを一体化させている。ガイドチェンジ５ｄは、図示されていない駆動部に連結されて上下方向に移動可能な構成とし、ガイドチェンジ５ｄが上方向に移動すると用紙が側面排紙部３に排紙され、ガイドチェンジ５ｄが下方向に移動すると上面排紙部２に排紙されるようになる。本実施例のように、第２の扉５にガイドチェンジ５ｄを一体化させることで、第２の扉５を回動するとガイドチェンジ５ｄも外部に出るために、画像形成装置１の用紙搬送路にガイドチェンジ５ｄ分のスペースができ、紙詰まり用紙を取り出しやすくなる。
【００１７】
【発明の効果】
以上説明したように、本発明によれば、側面に排紙処理装置への排紙口となる開口部を有しかつ開口部より下方を回転中心軸として略水平方向まで回動して保持可能な構成を有する第１の扉と、第１の扉を回動して露出される面に回動可能な第２の扉とを有することにより、排紙処理装置を容易に取り付けることができ、排紙処理装置を取り付けない場合に別体のトレイを用意する必要がなく、排紙口付近の紙詰まりを第２の扉を開くのみ容易に行える画像形成装置を提供することができる。
【図面の簡単な説明】
【図１】本発明の画像形成装置を示す正面図である。
【図２】本発明の画像形成装置を示す斜視図である。
【図３】本発明の画像形成装置の側面の排紙口付近の断面図である。
【図４】本発明の画像形成装置にソータを装着する状態を示す正面図である。
【図５】（ａ）は本発明の画像形成装置の第１の扉を開いた状態を示す斜視図であり、（ｂ）は（ａ）の状態からさらに板を略水平方向に延ばした状態を示す斜視図である。
【図６】（ａ）は本発明の画像形成装置の第１の扉および第２の扉を開いた状態を示す斜視図であり、（ｂ）は（ａ）の状態で用紙を引き出した状態を示す斜視図である。
【符号の説明】
１  ：画像形成装置
１ａ：排紙口
２  ：上面排紙部
３  ：側面排紙部
４ａ：開口部
４ｂ，５ｂ：引出用把手
４ｃ，５ｃ：回転中心軸
４ｄ：アーム
４ｅ：頂上部
４ｆ：略中央部
４ｇ：案内溝４ｇ
４ｈ：移動部材４ｈ
４ｉ，４ｊ：板
５  ：第２の扉
５ｄ：ガイドチェンジ
１０：給紙装置
１０ａ：給紙カセット
１１：ソータ
Ｐ  ：用紙
【図１】
0003561116.tif 000002
【図２】
0003561116.tif 000003
【図３】
0003561116.tif 000004
【図４】
0003561116.tif 000005
【図５】
0003561116.tif 000006
【図６】
0003561116.tif 000007